(57)【要約】【課題】アウタハウジングの小型化を図る。【解決手段】本発明は、金属製の筐体２０の内外を貫通させた取付孔２１に取り付けられるシールドコネクタ１０であって、芯線８１Ａがシールド線８１Ｃによって覆われてなる電線８１と、この電線８１を通す電線挿通孔９３を有し、筐体２０に同筐体２０の外側からボルト締結されるアルミダイキャスト製のアウタハウジング９０と、電線８１の端末に露出させた芯線８１Ａに圧着される雌端子８２と、この雌端子８２を内部に収容する樹脂製のインナハウジング１００と、雌端子８２に接続される雄端子３４を有し、取付孔２１に筐体２０の外側から嵌合するとともにインナハウジング１００が筐体２０の外側から嵌合する雄コネクタ３０とを備え、雄コネクタ３０は、筐体２０に同筐体２０の内側からボルト締結される構成としたところに特徴を有する。【選択図】図９
2014203538.tif 000002
【特許請求の範囲】
【請求項１】
金属製の筐体の内外を貫通させた取付孔に取り付けられるシールドコネクタであって、
芯線がシールド線によって覆われてなる電線と、
この電線を通す電線挿通孔を有し、前記筐体に同筐体の外側からボルト締結されるアルミダイキャスト製のアウタハウジングと、
前記電線の端末に露出させた前記芯線に圧着される雌端子と、
この雌端子を内部に収容する樹脂製のインナハウジングと、
前記雌端子に接続される雄端子を有し、前記取付孔に前記筐体の外側から嵌合するとともに前記インナハウジングが前記筐体の外側から嵌合する雄コネクタとを備え、
前記雄コネクタは、前記筐体に同筐体の内側からボルト締結されることを特徴とするシールドコネクタ。
【請求項２】
前記筐体には、前記雄コネクタがボルト締結される締結座が設けられており、この締結座は、前記取付孔の内部に設けられていることを特徴とする請求項１に記載のシールドコネクタ。
【請求項３】
前記筐体の内部に回路基板が配置されており、前記雄端子の一端が前記雌端子に接続される一方、前記雄端子の他端が前記回路基板に接続されることを特徴とする請求項１または請求項２に記載のシールドコネクタ。
【請求項４】
前記筐体の外面における前記取付孔の開口縁部には装着穴が設けられており、前記雄コネクタは、前記取付孔に正規の嵌合姿勢で嵌合したときに前記装着穴に嵌合する装着突起を有していることを特徴とする請求項１ないし請求項３のいずれか一項に記載のシールドコネクタ。
【発明の詳細な説明】
【技術分野】
【０００１】
本発明は、シールドコネクタに関する。
【背景技術】
【０００２】
従来、シールド電線に接続されるシールドコネクタとして、例えば下記特許文献１に記載のものが知られている。シールド電線の中心部に芯線が配され、この芯線の外側へ順に絶縁用の内部シース、編組線、外部被覆がそれぞれ同心で配されている。シールド電線の端末では、内部シースが皮剥ぎされて芯線が露出され、この露出部分に雌端子のバレル部が接続されている。また、芯線が露出された部分の直後には外部被覆が所定長さ範囲に亘って皮剥ぎされ、ここに露出された編組線は外部被覆へと反転させられることにより、内部シースが露出されている。さらに、反転された編組線にはかしめリングが接続されている。このかしめリングは導電性の金属によって形成され、前半部が小径部をなし、後半部は大径部となった段付きの円筒形状に形成されている。このうちの小径部を編組線に対しかしめ付けることで全体の固定がされている。
【０００３】
シールドコネクタは合成樹脂製の雌ハウジングを有しており、この雌ハウジングは、雌端子を収容する内側筒部と、この内側筒部の前半部を外側から取り囲む外側筒部とからなる。この内側筒部の内部には、角筒状をなす雌シールドシェルが装着されており、この雌シールドシェルにかしめリングの大径部が接続されている。雌ハウジングを相手側コネクタの雄ハウジングに嵌合させると、この雄ハウジングに設けられた雄シールドシェルと雌シールドシェルとがシールド接続された状態となる。
【先行技術文献】
【特許文献】
【０００４】
【特許文献１】特許第４７９７８９２号公報
【発明の概要】
【発明が解決しようとする課題】
【０００５】
しかしながら、シールドコネクタの設置環境によっては、アルミダイキャスト製のアウタハウジングを使用する場合があり、このアウタハウジングの内部に、合成樹脂製のインナハウジングを別途組み付けた上で、このインナハウジングに雄コネクタを嵌合させる場合がある。アウタハウジングは、金属製の筐体に外側からボルト締結されるのが一般的であり、雄コネクタについても金属製のケースに外側からボルト締結されるのが一般的である。このため、アウタハウジングは雄コネクタのボルト締結部も含めて全体を覆うようにして大きめに形成しなくてはならず、アウタハウジングの大型化を招いていた。
【０００６】
本発明は上記のような事情に基づいて完成されたものであって、アウタハウジングの小型化を図ることを目的とする。
【課題を解決するための手段】
【０００７】
本発明は、金属製の筐体の内外を貫通させた取付孔に取り付けられるシールドコネクタであって、芯線がシールド線によって覆われてなる電線と、この電線を通す電線挿通孔を有し、筐体に同筐体の外側からボルト締結されるアルミダイキャスト製のアウタハウジングと、電線の端末に露出させた芯線に圧着される雌端子と、この雌端子を内部に収容する樹脂製のインナハウジングと、雌端子に接続される雄端子を有し、取付孔に筐体の外側から嵌合するとともにインナハウジングが筐体の外側から嵌合する雄コネクタとを備え、雄コネクタは、筐体に同筐体の内側からボルト締結される構成としたところに特徴を有する。
【０００８】
このような構成によると、雄コネクタを筐体の内側からボルト締結するようにしたから、雄コネクタを筐体の外面にボルト締結しなくてもよい。したがって、雄コネクタのボルト締結部も含めて雄コネクタ全体を覆うようにしてアウタハウジングを大きめに形成しなくてもよく、アウタハウジングの小型化を図ることができる。
【０００９】
本発明の実施の態様として、以下の構成が好ましい。
筐体には、雄コネクタがボルト締結される締結座が設けられており、この締結座は、取付孔の内部に設けられている構成としてもよい。
このような構成によると、取付孔の内部に締結座を設けることができるため、筐体の内部に締結座を設けるよりもインナハウジングを小型化できる。
【００１０】
筐体の内部に回路基板が配置されており、雄端子の一端が雌端子に接続される一方、雄端子の他端が回路基板に接続される構成としてもよい。
このような構成によると、雄コネクタが筐体にボルト締結されているから、アウタハウジングを筐体にボルト締結したときに、雄コネクタが筐体の内部側に押し込まれるなどして回路基板との接続部分に応力が加わることを防止できる。
【００１１】
筐体の外面における取付孔の開口縁部には装着穴が設けられており、雄コネクタは、取付孔に正規の嵌合姿勢で嵌合したときに装着穴に嵌合する装着突起を有している構成としてもよい。
このような構成によると、装着突起が装着穴に嵌合するように雄コネクタを取付孔に嵌合させればよいため、雄コネクタの誤結防止を行うことができる。
【発明の効果】
【００１２】
本発明によれば、アウタハウジングの小型化を図ることができる。
【図面の簡単な説明】
【００１３】
【図１】雌コネクタの構成部品を斜め後方から見た分解斜視図
【図２】雄コネクタを筐体に組み付ける前の状態を斜め後方から見た分解斜視図
【図３】雌コネクタを筐体に組み付ける前の状態を斜め後方から見た分解斜視図
【図４】雌コネクタを筐体に組み付けた後の状態を斜め後方から見た分解斜視図
【図５】雌コネクタの正面図
【図６】図５におけるＡ−Ａ線断面図
【図７】図６における要部拡大断面図
【図８】雌コネクタの背面図
【図９】雌コネクタが筐体に組み付けられた状態を示す断面図であって、図６に対応する断面図
【図１０】かしめリングの側面図
【図１１】かしめリングの背面図
【図１２】アウタハウジングの正面図
【図１３】図１２におけるＢ−Ｂ線断面図
【図１４】アウタハウジングの背面図
【図１５】筐体の取付孔を筐体の外側から見た図
【図１６】雄コネクタの正面図
【図１７】図１６におけるＣ−Ｃ線断面図
【図１８】雄コネクタの背面図
【発明を実施するための形態】
【００１４】
＜実施形態＞
本発明の実施形態を図１ないし図１８の図面を参照しながら説明する。本実施形態のシールドコネクタ１０は、雄コネクタ３０と、雌コネクタ５０とを備えて構成され、このうち雌コネクタ５０は、図１に示すように、バックカバー６０、ゴム栓７０、端子付き電線８０、アウタハウジング９０、インナハウジング１００、ゴムパッキン１１０などを備えて構成されている。雌コネクタ５０は、図３に示すように、金属製の筐体２０に取り付けられた雄コネクタ３０に嵌合可能とされており、一対の外側ボルトＢ１によってアウタハウジング９０を筐体２０にボルト締結することにより、雌雄両コネクタ３０、５０が嵌合状態に保持される。
【００１５】
筐体２０は、例えば機器を収容する金属製のケースとされており、このようなケースは、一対の半割体を互いに組み付けることによって構成されている。この筐体２０には、図２に示すように、横長の角孔形状をなす取付孔２１が貫通して形成されている。取付孔２１の上側開口縁部には、凹状をなす装着穴２２が形成されており、この装着穴２２は、筐体２０の外側に開口している。また、取付孔２１の上下両側には、一対の外側ボルトＢ１が螺合する一対の固定穴２３が形成されており、これらの固定穴２３は、筐体２０の外側に開口している。
【００１６】
雄コネクタ３０は、図２に示すように、合成樹脂製の雄ハウジング３１を有し、この雄ハウジング３１は、取付孔２１に嵌合可能な横長の略方形をなす外周形状とされている。雄ハウジング３１の内部には、一対の嵌合凹部３２が形成されている。これらの嵌合凹部３２は横並びに配され、図３に示すように、雄ハウジング３１が取付孔２１に嵌合した状態で筐体２０の外側に開口する形態をなしている。なお、以下において雄コネクタ３０および雌コネクタ５０の構成を説明する場合に、取付孔２１に嵌合する側（筐体２０の内部に向かう側）を前側とし、取付孔２１から離脱する側（筐体２０の外部に向かう側）を後側とする。
【００１７】
雄ハウジング３１の後端部の上面には、装着突起３５が形成されている。この装着突起３５はＬ字状に屈曲しており、雄ハウジング３１の上面から上方に突出した後、直角に向きを変えて前側に突出している。装着突起３５の突出端部は、図３に示すように、雄コネクタ３０が取付孔２１に正規の嵌合姿勢で嵌合したときに装着穴２２に嵌合するようになっている。これにより、雄コネクタ３０を取付孔２１に対して上下逆に嵌合する誤結が防止可能となっている。
【００１８】
一方、雄ハウジング３１の後端部の四隅には、取付孔２１への嵌合動作を停止させて前止まりを行う複数の前止まり部３７が形成されている。これらの前止まり部３７のうち上側に位置する左右一対の前止まり部３７は、雄ハウジング３１の上面から上方に突出し、下側に位置する左右一対の前止まり部３７は、雄ハウジング３１の下面から下方に突出している。上側の前止まり部３７の方が下側の前止まり部３７よりも長めに突出して形成されている。
【００１９】
また、図９に示すように、嵌合凹部３２の奥壁（雄ハウジング３１の前端壁）３３には、雄端子３４が圧入により保持されている。雄端子３４は、奥壁３３を貫通する形態をなしている。雄端子３４の一端側（前端側）は、筐体２０の内部に向かって前方に突出して回路基板ＣＢのスルーホール（図示せず）に半田付けにより接続されている。一方、雄端子３４の他端側（後端側）は、嵌合凹部３２の内部において後方に突出している。
【００２０】
雄端子３４は、奥壁３３の上下方向中央位置よりもやや上側に偏心した位置に圧入されている。この結果、奥壁３３の上下方向中央位置よりやや下側にはスペースが確保され、このスペースに仮固定穴３６が開設されている。この仮固定穴３６は、筐体２０の内側に開口する形態をなしている。この仮固定穴３６には、筐体２０の内側から内側ボルトＢ２が螺合するようになっている。
【００２１】
取付孔２１の内部には、締結座２４が形成されている。この締結座２４は、取付孔２１の両端開口のうち筐体２０の内側に面した内側開口の内側に形成されている。また、締結座２４は、内側ボルトＢ２の頭部を受ける座面２４Ｂを有している。図１５に示すように、取付孔２１の下面と両側面に亘って締結座２４が形成されている。また、締結座２４は横長の略長方形状とされ、その中央部には、内側ボルトＢ２を筐体２０の内側から外側に挿通させるボルト挿通孔２４Ａが貫通して形成されている。このボルト挿通孔２４Ａには、内側ボルトＢ２が筐体２０の内側から挿通され、内側ボルトＢ２の頭部が座面２４Ｂに当接する。
【００２２】
雄コネクタ３０を筐体２０の外側から取付孔２１に浅く嵌合させて内側ボルトＢ２を仮固定穴３６に締め込んでいくと、雄コネクタ３０が筐体２０の内側に引き込まれ、各前止まり部３７が筐体２０の外面（取付孔２１の外側開口縁部）に当接することで雄コネクタ３０の嵌合動作が停止される。これにより、雄コネクタ３０が取付孔２１に嵌合した状態に保持される。これにより、雄コネクタ３０の筐体２０に対するガタが抑制され、雄端子３４と回路基板ＣＢのスルーホールとの半田接続部に応力がかかって半田に亀裂が入ることを回避できる。
【００２３】
次に、雌コネクタ５０の構成について説明する。端子付き電線８０は、図９に示すように、電線８１と、雌端子８２と、接続部材８３とを備えて構成されている。雌端子８２は、角筒形状をなして雄端子３４に接続される端子接続部８２Ａ、この端子接続部８２Ａの後方に連なって電線８１の端末に接続される電線接続部８２Ｂなどを備えて構成されている。一方、電線８１はシールド電線であって、芯線８１Ａ、この芯線８１Ａの外周に配された内部被覆８１Ｂ、この内部被覆８１Ｂの外周に配されたシールド線８１Ｃ、このシールド線８１Ｃの外周に配された外部被覆８１Ｄなどを備えて構成されている。電線８１の端末には、内部被覆８１Ｂが皮剥ぎされて芯線８１Ａが露出されており、この芯線８１Ａに電線接続部８２Ｂが圧着されている。
【００２４】
外部被覆８１Ｄは、内部被覆８１Ｂよりも後方に長く皮剥ぎされており、これによって露出したシールド線８１Ｃは、後方に折り返されている。また、折り返されたシールド線８１Ｃと外部被覆８１Ｄとの間には、下敷きリング８４が介装されている。下敷きリング８４は金属製の環状部材であって、外部被覆８１Ｄの外周に沿って嵌着されている。
【００２５】
折り返されたシールド線８１Ｃの外周には、接続部材８３が圧着されている。この接続部材８３は全体として段付きの略円筒形状とされ、図１に示すように、小径部８３Ａと、この小径部８３Ａの後方に連なって配された大径部８３Ｂとを備えて構成されている。このうち小径部８３Ａは、下敷きリング８４の外周に折り返されたシールド線８１Ｃに圧着されて接続されている。
【００２６】
図１０および図１１に示すように、大径部８３Ｂには、複数の弾性接触片８３Ｃが周方向において等間隔に並んで形成されている。弾性接触片８３Ｃは片持ち状をなし、大径部８３Ｂの径方向に弾性変形可能とされている。弾性接触片８３Ｃの先端部には、ドーム状をなす接点部８３Ｄが大径部８３Ｂの外周面側に叩き出されて形成されている。
【００２７】
図１に示すように、アウタハウジング９０はアルミダイキャスト製であって、電線挿通孔９３が前後方向に貫通して形成されたハウジング本体部９１と、このハウジング本体部９１の前端部において外周面から張り出して形成されたハウジング取付部９２とを備えて構成されている。ハウジング取付部９２は、ハウジング本体部９１の上下両側に配された上下一対のボルト挿通孔９４を有している。各ボルト挿通孔９４は、ハウジング取付部９２のうち上下両側に配された略三角形状をなす部分の頂点付近に位置している。
【００２８】
電線挿通孔９３は、図１２に示すように、略円孔形状で一対形成され、隣り合う電線挿通孔９３同士が互いに連通している。図９に示すように、電線挿通孔９３の前側には、雌コネクタ５０の後半部を内部に収容する雌コネクタ収容部９５が形成されており、電線挿通孔９３の後側には、ゴム栓７０が装着されるゴム栓装着部９６が形成されている。このゴム栓装着部９６には、ゴム栓７０が圧縮状態で装着され、バックカバー６０によって抜け止め状態に保持されている。これにより、ハウジング本体部９１の後端開口からアウタハウジング９０の内部に水が浸入することが防止されている。
【００２９】
バックカバー６０は、図１に示すように、前面開口の箱形をなし、その両側面部には、一対のロック片６１が形成されている。一方、アウタハウジング９０のハウジング本体部９１の外周側面には、一対のロック突部９７が形成されている。各ロック片６１が各ロック突部９７に係止することで、バックカバー６０がハウジング本体部９１の後端開口部に嵌着された状態に保持される。また、バックカバー６０の後面には、電線８１を通す左右一対の通し孔６２が形成されている。この通し孔６２は、電線８１に取り付けられた接続部材８３を挿通可能な程度の大きさに形成されている。
【００３０】
インナハウジング１００は合成樹脂製であって、図１に示すように、略方形の角孔状をなす一対の角筒部１０１を左右に並べて連結させた構成とされている。角筒部１０１の内部には、雌端子８２が収容されており、角筒部１０１内に形成されたランス１０２によって雌端子８２が抜け止め状態に保持されている。各角筒部１０１は、雄コネクタ３０の各嵌合凹部３２内に個別に嵌合可能とされており、この角筒部１０１が嵌合凹部３２内に嵌合することに伴って各雄端子３４が各雌端子８２の端子接続部８２Ａにそれぞれ嵌合し、導通可能に接続される。
【００３１】
ゴムパッキン１１０は、図１に示すように、略方形の環状をなし、その内周面の四隅には、取付フランジ１１１がそれぞれ形成されている。これらの取付フランジ１１１には、位置決め孔１１２が形成されている。一方、アウタハウジング９０のハウジング取付部９２の前面には、図９に示すように、ゴムパッキン１１０が装着されるゴムパッキン装着部９８が凹設されている。このゴムパッキン装着部９８は、雌コネクタ収容部９５の前側に形成されている。ゴムパッキン装着部９８における雌コネクタ収容部９５の周縁部には、４つの位置決めピン９９が立設されている。各位置決めピン９９が各位置決め孔１１２に圧入気味に嵌合することで、ゴムパッキン１１０がゴムパッキン装着部９８に装着されている。アウタハウジング９０を筐体２０にボルト締結すると、ゴムパッキン１１０がゴムパッキン装着部９８と筐体２０の外面との間で挟持され、アウタハウジング９０と筐体２０の間からアウタハウジング９０内に水が浸入することを防止される。
【００３２】
さて、本実施形態では、端子付き電線８０の接続部材８３がアウタハウジング９０の電線挿通孔９３内に収容されるようになっている。接続部材８３の各接点部８３Ｄは、電線挿通孔９３の内壁に対して弾性的に接触する。これにより、接続部材８３とアウタハウジング９０が導通可能に接続される。また、アウタハウジング９０が筐体２０の外面にボルト締結された状態では、ハウジング取付部９２が筐体２０に導通可能に接続される。このため、接続部材８３と筐体２０は、アウタハウジング９０を介して直接接続される。また、接続部材８３は円筒状をなし、電線挿通孔９３は円孔形状とされているため、電線８１の軸線を中心とする回転方向においていかなる回転角度で接続部材８３が電線８１に取り付けられていても、各接点部８３Ｄを電線挿通孔９３の内壁に接触させることができる。
【００３３】
本実施形態は以上のような構成であって、続いてその作用を説明する。まず、雄コネクタ３０を筐体２０の外部から取付孔２１に嵌合させる作業について説明する。図２に示すように、雄コネクタ３０の装着突起３５を上側に向けた姿勢で雄ハウジング３１を取付孔２１に嵌合していくと、図３に示すように、装着突起３５が装着穴２２に嵌合する。これと併行して、筐体２０の内部から内側ボルトＢ２を締結座２４のボルト挿通孔２４Ａに挿通し、雄ハウジング３１の仮固定穴３６に締め込む。すると、雄ハウジング３１が取付孔２１に嵌合した状態で筐体２０の内側に強く引き込まれるように作用し、雄コネクタ３０が筐体２０に強固に固定される。
【００３４】
次に、筐体２０の内側に回路基板ＣＢを組み付け、雄端子３４の先端部を回路基板ＣＢのスルーホール（図示せず）に差し込む。この段階では、筐体２０を構成する一対の半割体が互いに組み付けられておらず、一方の半割体に雄コネクタ３０が固定された状態となっている。すなわち、他方の半割体が組み付けられる側に回路基板ＣＢが露出した状態となっているため、雄端子３４をスルーホールに半田付けすることができる。雄端子３４の半田付けが完了した後、筐体２０を構成する他方の半割体を一方の半割体に組み付けて筐体２０を構成する。このようにして、回路基板ＣＢが筐体２０の内側に収容される。
【００３５】
ここで、雄コネクタ３０が筐体２０に対してリジッドに組み付けられており、回路基板ＣＢも筐体２０に対してリジッドに組み付けられているため、例えば、雌コネクタ５０を雄コネクタ３０に嵌合させる際に、雄コネクタ３０に応力が加わったとしても、雄端子３４と回路基板ＣＢのスルーホールとの半田付け部分に応力が加わることはなく、半田付け部分の接続信頼性を維持することができる。また、雄コネクタ３０を筐体２０の内側に引き込むようにしてボルト締結を行っているため、雄端子３４の先端の位置決めを高い精度で行うことができる。
【００３６】
さらに、雄コネクタ３０のボルト締結を取付孔２１の内部で行っているため、図３に示すように、雄コネクタ３０のうち筐体２０の外面に沿う部分の大きさを最小限に抑えることができる。すなわち、筐体２０の外面にボルト締結する場合には、このボルト締結部も覆うことができる大きなアウタハウジングを用意する必要があるところ、本実施形態においては、筐体２０の外面に沿って配される部分が装着突起３５と４つの前止まり部３７のみとなっており、筐体２０の外面においてアウタハウジングでボルト締結部を覆わなくてもよいため、アウタハウジングが大型化することはない。したがって、雄コネクタ３０を覆うアウタハウジング９０の大きさを最小限に抑えることができ、小型化が図られている。
【００３７】
次に、雌コネクタ５０の組立方法について説明する。まず、電線８１に、バックカバー６０、ゴム栓７０、下敷きリング８４、および接続部材８３を先通ししておき、電線８１の端末において外部被覆８１Ｄを皮剥ぎしてシールド線８１Ｃを露出させる。この露出されたシールド線８１Ｃを裏返して下敷きリング８４の外周に被せ、そのシールド線８１Ｃの外周に接続部材８３の小径部８３Ａを配した後、この小径部８３Ａをかしめてシールド線８１Ｃに圧着する。すると、シールド線８１Ｃと接続部材８３が導通可能に接続される。
【００３８】
また、シールド線８１Ｃを裏返すことで露出させた内部被覆８１Ｂを皮剥ぎして芯線８１Ａを露出させる。この芯線８１Ａを雌端子８２の電線接続部８２Ｂに載置して圧着を行うことで、芯線８１Ａと雌端子８２が導通可能に接続される。こうして、端子付き電線８０が構成される。
【００３９】
次に、この端子付き電線８０の雌端子８２をアウタハウジング９０の電線挿通孔９３に後方から挿入する。これにより、接続部材８３の各接点部８３Ｄが電線挿通孔９３の内壁に対して弾性的に接触し、接続部材８３とアウタハウジング９０が導通可能に接続される。さらに、雌端子８２をインナハウジング１００の角筒部１０１の内部に後方から挿入し、ランス１０２に係止させることで抜け止め状態に保持する。
【００４０】
続いて、インナハウジング１００を雄ハウジング３１に対して筐体２０の外側から組み付ける。すると、角筒部１０１が嵌合凹部３２に嵌合し、角筒部１０１内の雌端子８２と嵌合凹部３２内の雄端子３４とが嵌合する。これにより、雄端子３４と雌端子８２が導通可能に接続される。さらに、インナハウジング１００を覆うようにしてアウタハウジング９０を筐体２０の外面に組み付け、ゴム栓７０をゴム栓装着部９６に装着し、バックカバー６０をゴム栓７０の後方からアウタハウジング９０に組み付けることで雌コネクタ５０を構成する。
【００４１】
次に、筐体２０の外部から外側ボルトＢ１をハウジング取付部９２のボルト挿通孔９４に挿通し、筐体２０の固定穴２３に締め込むことでボルト締結を行う。すると、アウタハウジング９０のハウジング取付部９２が筐体２０の外面に接触し、アウタハウジング９０と筐体２０が導通可能にアース接続される。こうして、雄コネクタ３０と雌コネクタ５０が嵌合状態に保持され、シールドコネクタ１０が構成される。
【００４２】
このようにして構成されたシールドコネクタ１０においては、電線８１の芯線８１Ａから、雌端子８２と雄端子３４を経由して、回路基板ＣＢのスルーホールにつながる電気回路が構成されるとともに、電線８１のシールド線８１Ｃから、接続部材８３とアウタハウジング９０を経由して、筐体２０につながるシールド導電路が構成されることになる。このシールド導電路によって電磁波などのノイズを吸収することができ、電気回路にノイズが混入することを回避できる。
【００４３】
以上のように本実施形態では、雄コネクタ３０を筐体２０の内側からボルト締結するようにしたから、雄コネクタ３０を筐体２０の外面にボルト締結しなくてもよい。したがって、雄コネクタ３０のボルト締結部も含めて雄コネクタ３０全体を覆うようにしてアウタハウジング９０を大きめに形成しなくてもよく、アウタハウジング９０の小型化を図ることができる。
【００４４】
筐体２０には、雄コネクタ３０がボルト締結される締結座２４が設けられており、この締結座２４は、取付孔２１の内部に設けられている構成としてもよい。このような構成によると、取付孔２１の内部に締結座２４を設けることができるため、筐体２０の内部に締結座２４を設けるよりもインナハウジング１００を小型化できる。
【００４５】
筐体２０の内部に回路基板ＣＢが配置されており、雄端子３４の一端が雌端子８２に接続される一方、雄端子３４の他端が回路基板ＣＢに接続される構成としてもよい。このような構成によると、雄コネクタ３０が筐体２０にボルト締結されているから、アウタハウジング９０を筐体２０にボルト締結したときに、雄コネクタ３０が筐体２０の内部側に押し込まれるなどして回路基板ＣＢとの接続部分に応力が加わることを防止できる。
【００４６】
筐体２０の外面における取付孔２１の開口縁部には装着穴２２が設けられており、雄コネクタ３０は、取付孔２１に正規の嵌合姿勢で嵌合したときに装着穴２２に嵌合する装着突起３５が設けられている構成としてもよい。このような構成によると、装着突起３５が装着穴２２に嵌合するように雄コネクタ３０を取付孔２１に嵌合させればよいため、雄コネクタ３０の誤結防止を行うことができる。
【００４７】
＜他の実施形態＞
本発明は上記記述及び図面によって説明した実施形態に限定されるものではなく、例えば次のような実施形態も本発明の技術的範囲に含まれる。
（１）上記実施形態では締結座２４が取付孔２１の内部に設けられているものの、本発明によると、筐体２０の内面における取付孔２１の開口縁部に締結座を設けてもよい。
【００４８】
（２）上記実施形態では雄端子３４の先端が回路基板ＣＢのスルーホールに半田付けされるものを例示しているものの、本発明によると、雄端子３４の先端が筐体２０内の機器に直結されるものとしてもよい。
【００４９】
（３）上記実施形態では接続部材８３と筐体２０をアウタハウジング９０で直接接続しているものの、本発明によると、アウタハウジング９０とは別に、接続部材８３と筐体２０を直接接続する金属シェルを設けてもよい。
【符号の説明】
【００５０】
１０…シールドコネクタ
２０…筐体
２１…取付孔
２２…装着穴
２４…締結座
３０…雄コネクタ
３４…雄端子
３５…装着突起
８１…電線
８１Ａ…芯線
８２…雌端子
９０…アウタハウジング
９３…電線挿通孔
１００…インナハウジング
ＣＢ…回路基板
【図１】
2014203538.tif 000003
【図２】
2014203538.tif 000004
【図３】
2014203538.tif 000005
【図４】
2014203538.tif 000006
【図５】
2014203538.tif 000007
【図６】
2014203538.tif 000008
【図７】
2014203538.tif 000009
【図８】
2014203538.tif 000010
【図９】
2014203538.tif 000011
【図１０】
2014203538.tif 000012
【図１１】
2014203538.tif 000013
【図１２】
2014203538.tif 000014
【図１３】
2014203538.tif 000015
【図１４】
2014203538.tif 000016
【図１５】
2014203538.tif 000017
【図１６】
2014203538.tif 000018
【図１７】
2014203538.tif 000019
【図１８】
2014203538.tif 000020